(57)【要約】【課題】  乗りかごとの干渉を防止しつつ、手摺り、水平な踏みしろを確保してピット内への安全に出入りを確保する。【解決手段】  ホールシル３の下側に形成された窪み１４に各固定支柱４を固定し、これら各固定支柱４の各部を中心にして、各踏み板７を回動自在に取り付けるとともに、これら各踏み板７の先端側に各側げた５を回動自在に取り付け、さらに各踏み板７の各側面中央部分に各手摺り９を回動自在に取り付け、乗りかごを昇降させるとき、チェーン１２を引き上げて、各踏み板７、各側げた５、各手摺り９を窪み１４内に格納させ、またピット２内に作業員が降りるとき、フック１３からチェーン１２を外して、窪み１４から各踏み板７、各側げた５、各手摺り９を引き出させる。【選択図】      図１
2005067883.tif 000002
【特許請求の範囲】
【請求項１】
エレベータシャフトのピット内に設けられるピット梯子において、
折りたたみ自在、かつ乗りかごの昇降時にはホールシル下の隙間に収納されるように構成したことを特徴とするピット梯子。
【請求項２】
請求項１に記載のピット梯子において、
前記隙間を構成している壁から所定距離だけ離されて配置される１対の側げたと、
各一端側が前記壁側に所定間隔で回転自在に取り付けられ、各他端側が前記各側げた側に所定間隔で回転自在に取り付けられる複数の踏み板と、
これら各踏み板の各側面中央部分に回転自在に取り付けられる手摺りと、
を備えたことを特徴とするピット梯子。
【請求項３】
請求項１に記載のピット梯子において、
前記隙間を構成している壁から所定距離だけ離されて配置される１対の側げたと、
これら各側げた間に所定間隔で取り付けられる複数の踏み段と、
各一端側が前記壁の上部側に回転自在に取り付けられ、各他端側が前記各側げたの上部側に回転自在に取り付けられる１対の上側連結部材と、
各一端側が前記壁の下部側に回転自在に取り付けられ、各他端側が前記各側げたの下部側に回転自在に取り付けられる１対の下側連結部材と、
これら上側連結部材、下側連結部材の各中央部分に回転自在に取り付けられる手摺りと、
を備えたことを特徴とするピット梯子。
【請求項４】
請求項１に記載のピット梯子において、
前記隙間を構成している壁から所定距離だけ離されて配置される１対の側げたと、
これら各側げた間に所定間隔で取り付けられる複数の踏み段と、
前記各側げたに対し、所定距離だけ離され、平行に取り付けられる手摺りと、
各一端側が前記壁の上部側に回転自在に取り付けられ、各他端側が前記側げたの上部側に回転自在に取り付けられる１対の連結部材と、
各一端側が前記壁の下部側に回転自在に取り付けられ、各他端側が前記側げたの下部側に回転自在に取り付けられる１対の屈曲部材と、
を備えたことを特徴とするピット梯子。
【請求項５】
請求項１乃至４のいずれかに記載のピット梯子において、
前記壁側から前記各側げたを引き出している際に動作する安全スイッチと、
この安全スイッチのオン動作によって作動する安全回路と、
を備えたことを特徴とするピット梯子。
【発明の詳細な説明】
【技術分野】
【０００１】
本発明は、エレベータのピットに安全に出入りさせるピット梯子に関する。
【背景技術】
【０００２】
従来、ビルなどに設置されたエレベータ設備では、図１５に示すように、細いパイプを溶接して簡易な梯子１０１を作成した後、ビル内に設けられた昇降路（シャフト）内の底部（ピット）の所定部分、例えば図１６に示すように、開閉自在に設置されたホールドア１０２により、ホール１０３から分離されたピット１０４の側壁１０５に、梯子１０１をピッタリと固定し、これをピット梯子１０２として使用させるようにしている。
【特許文献１】特開２００２−１４５５５０
【特許文献２】特開２００１−８９０４８
【発明の開示】
【発明が解決しようとする課題】
【０００３】
しかしながら、細いパイプを溶接した従来のピット梯子１０２では、使い易さを考慮していないことから、実際に使用するとき、使い勝手が悪く、安全性という面から好ましいものではなかった。
【０００４】
本発明は上記の事情に鑑み、ホールシル下の隙間を有効に活用して、折り畳み式の梯子を収納させ、これによって乗りかごとの干渉を防止させながら、踏みしろを確保させて、ピット内へ安全に出入りさせることができるピット梯子を提供することを目的としている。
【課題を解決するための手段】
【０００５】
上記の目的を達成するために本発明は、請求項１では、エレベータシャフトのピット内に設けられるピット梯子において、折りたたみ自在、かつ乗りかごの昇降時にはホールシル下の隙間に収納されるように構成したことを特徴としている。
【０００６】
上記の構成によれば、ホールシル下の隙間を有効に活用して、折り畳み式の梯子を収納させ、これによって乗りかごとの干渉を防止させながら、踏みしろを確保させて、ピット内へ安全に出入りさせることができる。
【０００７】
請求項２では、請求項１に記載のピット梯子において、前記隙間を構成している壁から所定距離だけ離されて配置される１対の側げたと、各一端側が前記壁側に所定間隔で回転自在に取り付けられ、各他端側が前記各側げた側に所定間隔で回転自在に取り付けられる複数の踏み板と、これら各踏み板の各側面中央部分に回転自在に取り付けられる手摺りとを備えたことを特徴としている。
【０００８】
上記の構成によれば、ホールシル下の隙間を有効に活用して、折り畳み式の梯子を収納させ、これによって乗りかごとの干渉を防止させながら、手摺り、水平な踏みしろを確保させて、ピット内へ安全に出入りさせることができる。
【０００９】
請求項３では、請求項１に記載のピット梯子において、前記隙間を構成している壁から所定距離だけ離されて配置される１対の側げたと、これら各側げた間に所定間隔で取り付けられる複数の踏み段と、各一端側が前記壁の上部側に回転自在に取り付けられ、各他端側が前記各側げたの上部側に回転自在に取り付けられる１対の上側連結部材と、各一端側が前記壁の下部側に回転自在に取り付けられ、各他端側が前記各側げたの下部側に回転自在に取り付けられる１対の下側連結部材と、これら上側連結部材、下側連結部材の各中央部分に回転自在に取り付けられる手摺りとを備えたことを特徴としている。
【００１０】
上記の構成によれば、ホールシル下の隙間を有効に活用して、折り畳み式の梯子を収納させ、これによって乗りかごとの干渉を防止させながら、使い勝手の良い手摺り、踏みしろを確保させて、ピット内へ安全に出入りさせることができる。
【００１１】
請求項４では、請求項１に記載のピット梯子において、前記隙間を構成している壁から所定距離だけ離されて配置される１対の側げたと、これら各側げた間に所定間隔で取り付けられる複数の踏み段と、前記各側げたに対し、所定距離だけ離され、平行に取り付けられる手摺りと、各一端側が前記壁の上部側に回転自在に取り付けられ、各他端側が前記側げたの上部側に回転自在に取り付けられる１対の連結部材と、各一端側が前記壁の下部側に回転自在に取り付けられ、各他端側が前記側げたの下部側に回転自在に取り付けられる１対の屈曲部材とを備えたことを特徴としている。
【００１２】
上記の構成によれば、ホールシル下の隙間を有効に活用して、折り畳み式の梯子を収納させ、これによって乗りかごとの干渉を防止させながら、斜めにされた手摺り、踏みしろを確保させて、ピット内へ安全に出入りさせる。
【００１３】
請求項５では、請求項１乃至４のいずれかに記載のピット梯子において、前記壁側から前記各側げたを引き出している際に動作する安全スイッチと、この安全スイッチのオン動作によって作動する安全回路とを備えたことを特徴としている。
【００１４】
上記の構成によれば、ホールシル下の隙間を有効に活用して、折り畳み式の梯子を収納させ、これによって乗りかごとの干渉を防止させながら、作業員がピット内にいるとき、安全回路をオフ状態にさせて、誤って乗りかごが動き出さないようにさせるとともに、梯子の収納忘れに起因する乗りかごとの激突を防止させることができる。
【発明の効果】
【００１５】
以上説明したように本発明によれば、ホールシル下の隙間を有効に活用して、折り畳み式の梯子を収納させ、これによって乗りかごとの干渉を防止させながら、踏みしろを確保させて、ピット内へ安全に出入りさせることができる。
【００１６】
また、昇降路壁から梯子を引き出す作業のみで梯子の設置が可能であるため、点検作業の予備作業である梯子の設置を最小の時間で行うことができ、作業時間全体の短縮に貢献できる。
【発明を実施するための最良の形態】
【００１７】
図１は本発明によるピット梯子の第１の実施形態を示す側面図である。
【００１８】
この図に示すピット梯子１は、太いパイプなどによって構成され、シャフトの底部に形成されたピット２内の所定部分、例えばホールシル３の下側に形成された窪み１４部分に固定される２本の固定支柱４と、太いパイプなどによって構成され、各固定支柱４の手前側に配置される２本の側げた５とを備える。また、図３の側面図、図４の正面図に示すように、複数の板部材によって構成され、各固定支柱４から各側げた５を所定距離だけ離し、各側げた５の底部をピット床面６に当接させているとき、各板部材の上面がほぼ水平にされた状態で、窪み１４に近い方の各側面端部が各固定支柱４に各々、所定間隔で回動自在に取り付けられるとともに、窪み１４から遠い方の各側面端部が各側げた５に各々、所定間隔で、回動自在に取り付けられる複数の踏み板７を備える。また、図２の正面図に示すように、各踏み板７の各側面中央部分に各々、垂設された各取り付け軸８に回動自在に支持される２本の手摺り９を備える。また、図５の部分拡大図に示すように、側げた５の下端に取り付けられたＢ接点などによって構成され、側げた５の底部がピット床面６に当接しているとき、図６の回路図に示すように、安全回路１０をオフ状態にさせる安全スイッチ１１と、各側げた５の上端とホールシル３とを緩く結ぶチェーン１２と、ホールシル３に固定され、各側げた５を引き上げて、窪み１４内に収納するとき、チェーン１２の一部がかけられるフック１３とを備える。
【００１９】
そして、エレベータの乗りかごを昇降させるとき、図１、図２に示すように、乗りかごの昇降に邪魔にならないように、チェーン１２が上に引き上げられて、その一部がフック１３にかけられる。
【００２０】
これにより、各踏み板７が反時計方向に回動させられて、各側げた５、各手摺り９などがホールシル３の下側に形成された窪み１４部分に収納されるとともに、安全スイッチ１１がオン状態にされて、安全回路１０がオン状態にされる。
【００２１】
また、ピット２内に作業員などが降りるとき、フック１３からチェーン１２が外される。
【００２２】
これにより、図３、図４に示すように、各側げた５の底部がピット床面６に当接するまで、各踏み板７が時計方向に回動させられて、各側げた５、各手摺り６などが引き出され、各踏み板７の上面がほぼ水平状態にされるとともに、側げた５の底部に取り付けられた安全スイッチ１１がオフ状態になって、安全回路１０がオフ状態にされる。
【００２３】
この後、上面側がほぼ水平にされた各踏み板７と、各固定支柱４、各側げた５の中間部分に配置された各手摺り６とを用いて、作業員はピット２内に降りることが可能になる。
【００２４】
このように、第１の実施形態では、ホールシル３の下側に形成された窪み１４に各固定支柱４を固定し、これら各固定支柱４の各部を中心にして、各踏み板７を回動自在に取り付けるとともに、これら各踏み板７の先端側に各側げた５を回動自在に取り付け、さらに各踏み板７の各側面中央部分に各手摺り９を回動自在に取り付け、乗りかごを昇降させるとき、チェーン１２を引き上げて、各踏み板７、各側げた５、各手摺り９を窪み１４内に格納させ、またピット２内に作業員が降りるとき、フック１３からチェーン１２を外して、窪み１４から各踏み板７、各側げた５、各手摺り９を引き出させるようにしているので、ホールシル３下の隙間を有効に活用して、折り畳み式の梯子を収納させ、これによって乗りかごとの干渉を防止させながら、手摺り、水平な踏みしろを確保させて、ピット２内へ安全に出入りさせることができる。
【００２５】
また、第１の実施形態では、側げた５の底部に安全スイッチ１１を設け、フック１３からチェーン１２を外して、窪み１４から各踏み板７、各側げた５、各手摺り９を引き出しているとき、安全スイッチ１１がオフ状態になって、安全回路１０をオフ状態にさせるようにしているので、作業員がピット２内に降りているとき、誤って乗りかごが動き出さないようにさせることができるとともに、梯子の収納忘れに起因する乗りかごとの激突を防止できる。
【００２６】
また、昇降路壁から梯子を引き出す作業のみで梯子の設置が可能であるため、点検作業の予備作業である梯子の設置を最小の時間で行うことができ、作業時間全体の短縮に貢献できる。
【００２７】
図７は本発明によるピット梯子の第２の実施形態を示す側面図である。
【００２８】
この図に示すピット梯子２１は、太いパイプなどによって構成され、シャフトの底部に形成されたピット２２の所定部分、例えばホールシル２３の下側に形成された窪み３４部分に固定される２本の固定支柱２４と、太いパイプなどによって構成され、各固定支柱２４の手前側に配置される２本の側げた２５と、複数のパイプ部材などによって構成され、各側げた２５を繋ぐように、これら各側げた２５に所定間隔で、取り付けられる複数の踏み段２７と、図９の側面図、図１０の正面図に示すように、４枚の板部材によって構成され、各固定支柱２４から各側げた２５を所定距離だけ離し、底部をピット床面２６に当接させているとき、各板部材がほぼ水平にされた状態で、窪み３４に近い方の各端部が各固定支柱２４の上部側、下部側に各々、回動自在に取り付けられるとともに、窪み３４から遠い方の各端部が各側げた２５の上部側、下部側に各々、回動自在に取り付けられる４つの連結部材２８と、図８の正面図に示すように、各連結部材２８の中央部分に各々、垂設された各取り付け軸２９に回動自在に支持される２本の手摺り３０と、側げた２５の下端に取り付けられたＢ接点などによって構成され、側げた２５の底部がピット床面２６に当接しているとき、安全回路をオフ状態にさせる安全スイッチ３１と、各側げた２５の上端とホールシル２３とを緩く結ぶチェーン３２と、ホールシル２３に固定され、各側げた２５を引き上げて、窪み３４内に収納するとき、チェーン３２の一部がかけられるフック３３とを備えている。
【００２９】
そして、エレベータの乗りかごを昇降させるとき、図７、図８に示すように、乗りかごの昇降に邪魔にならないように、チェーン３２が上に引き上げられて、その一部がフック３３にかけられる。
【００３０】
これにより、各連結部材２８が反時計方向に回動させられ、各側げた２５、各手摺り３０などがホールシル２３の下側に形成された窪み３４部分に収納されるとともに、安全スイッチ３１がオン状態にされて、安全回路がオン状態にされる。
【００３１】
また、ピット２２内に作業員などが降りるとき、フック３３からチェーン３２が外される。
【００３２】
これにより、図９、図１０に示すように、各側げた２５の底部がピット床面２６に当接するまで、各連結部材２８が時計方向に回動させられて、各側げた２５、各手摺り３０などを引き出されるとともに、側げた２５の底部に取り付けられた安全スイッチ３１がオフ状態になって、安全回路がオフ状態にされる。
【００３３】
この後、各踏み段２７と、各側げた２５に取り付けられた各手摺り３０とを用いさせて、作業員をピット２２内に降ろさせる。
【００３４】
このように、第２の実施形態では、ホールシル２３の下側に形成された窪み３４に各固定支柱２４を固定し、これら各固定支柱２４の上部側、下部側を中心にして、複数の連結部材２８を回動自在に取り付けるとともに、これら各連結部材２８の先端側に、複数の踏み段２７が取り付けられた各側げた２５の上部側、下部側を回動自在に取り付け、さらに各連結部材２８の各中央部分に各手摺り３０を回動自在に取り付け、乗りかごを昇降させるとき、チェーン３２を引き上げて、各踏み段２７、各側げた２５、各手摺り３０を窪み３４内に格納させ、またピット２２内に作業員が降りるとき、フック３３からチェーン３２を外して、窪み３４から各踏み段２７、各側げた２５、各手摺り３０を引き出させるようにしているので、ホールシル３３下の隙間を有効に活用して、折り畳み式の梯子を収納させ、これによって乗りかごとの干渉を防止させながら、使い勝手の良い手摺り、踏みしろを確保させて、ピット２２内へ安全に出入りさせることができる。
【００３５】
また、第２の実施形態では、側げた２５の底部に安全スイッチ３１を設け、フック３３からチェーン３２を外して、窪み３４から各踏み段２７、各側げた２５、各手摺り３０を引き出しているとき、安全スイッチ３１がオフ状態になって、安全回路をオフ状態にさせるようにしているので、作業員がピット２２内に降りているとき、誤って乗りかごが動き出さないようにさせることができるとともに、梯子の収納忘れに起因する乗りかごとの激突を防止できる。
【００３６】
図１１は本発明によるピット梯子の第３の実施形態を示す側面図である。
【００３７】
この図に示すピット梯子４１は、太いパイプなどによって構成され、シャフトの底部に形成されたピット４２の所定部分、例えばホールシル４３の下側に形成された窪み５５部分に固定される２本の固定支柱４４と、太いパイプなどによって構成され、各固定支柱４４の手前側に配置される２本の側げた４５と、図１３の側面図、図１４の正面図に示すように、複数の板部材によって構成され、各固定支柱４４から各側げた４５を所定距離だけ離し、底部をピット床面４６に当接させているとき、各板部材の上面がほぼ水平になるように、これら各側げた４５に所定間隔で、取り付けられる複数の踏み板４７と、２枚の板部材によって構成され、各踏み板４７がほぼ水平になるように、各側げた４５を斜めにさせたまま、各固定支柱４４の上端から各側げた４５の上端を所定距離だけ離すとともに、各側げた４５の底部をピット床面４６に当接させているとき、窪み５５に近い方の各端部が各固定支柱４４の上部側に各々、回動自在に取り付けられるとともに、窪み５５から遠い方の各端部が各側げた４５の上部側に各々、回動自在に取り付けられる２つの連結部材４８とを備えている。
【００３８】
さらに、ピット梯子４１は、ピンなどを用いて、２枚の板部材を屈曲自在に連結させた２組の屈曲部材などによって構成され、各踏み板４７がほぼ水平になるように、各側げた４５を斜めにさせたまま、各固定支柱４４の下端から各側げた４５の下端を所定距離だけ離すとともに、各側げた４５の底部をピット床面４６に当接させているとき、窪み５５に近い方の各端部が各固定支柱４４の下部側に各々、回動自在に取り付けられるとともに、窪み５５から遠い方の各端部が各側げた４５の下部側に各々、回動自在に取り付けられる２つのリンク部材４９と、各側げた４５の上部側、下部側に各々、垂設された各取り付け軸５０によって支持される２本の手摺り５１と、各側げた４５の下端に取り付けられたＢ接点などによって構成され、側げた４５の底部がピット床面４６に当接しているとき、安全回路をオフ状態にさせる安全スイッチ５２と、各側げた４５の上端とホールシル４３とを緩く結ぶチェーン５３と、ホールシル４３に固定され、各側げた４５を引き上げて、窪み５５内に収納するとき、チェーン５３の一部がかけられるフック５４とを備えている。
【００３９】
そして、エレベータの乗りかごを昇降させるとき、図１１、図１２に示すように、乗りかごの昇降に邪魔にならないように、チェーン５３が上に引き上げられて、その一部がフック５４にかけられる。
【００４０】
これにより、各連結部材４８が反時計方向に回動させられるとともに、リンク部材４９が折り曲げられて、各手摺り５１、各側げた４５などがホールシル４３の下側に形成された窪み５５部分に収納されるとともに、安全スイッチ５２がオン状態にされて、安全回路がオン状態にされる。
【００４１】
また、ピット４２内に作業員などが降りるとき、フック５４からチェーン５３が外される。
【００４２】
これにより、図１３、図１４に示すように、各側げた４５の底部がピット床面４６に当接するまで、各連結部材４８が時計方向に回動させられるとともに、リンク部材４９が伸ばされて、各手摺り５１、各側げた４５などが少しだけ斜めに引き出されたとき、側げた４５の底部に取り付けられた安全スイッチ５４がオフ状態になって、安全回路がオフ状態にされる。
【００４３】
この後、各踏み板４７と、各側げた４５に取り付けられた各手摺り５１とを用いさせて、作業員をピット４２内に降ろさせる。
【００４４】
このように、第３の実施形態では、ホールシル４３の下側に形成された窪み５５に各固定支柱４４を固定し、これら各固定支柱４４の上部側を中心にして、複数の連結部材４８を回動自在に取り付けるとともに、これら各連結部材４８の先端側に、複数の踏み板４７と、複数の手摺り５１とが取り付けられた各側げた４５の上部側を回動自在に取り付け、さらに各固定支柱４４の下部側を中心にして、複数のリンク部材４９を回動自在に取り付けるとともに、これら各リンク部材４９の先端側に、各側げた４５の下部側を回動自在に取り付け、乗りかごを昇降させるとき、チェーン５３を引き上げて、各踏み板４７、各側げた４５、各手摺り５１を窪み５５内に格納させ、またピット４２内に作業員が降りるとき、フック５４からチェーン５３を外して、窪み５５から各踏み板４７、各側げた４５、各手摺り５１を引き出させるようにしているので、ホールシル４３下の隙間を有効に活用して、折り畳み式の梯子を収納させ、これによって乗りかごとの干渉を防止させながら、斜めにされた手摺り、踏みしろを確保させて、ピット４２内へ安全に出入りさせることができる。
【００４５】
また、第３の実施形態では、側げた４５の底部に安全スイッチ５２を設け、フック５４からチェーン５３を外して、窪み５５から各踏み板４７、各側げた４５、各手摺り５１を引き出しているとき、安全スイッチ５２がオフ状態になって、安全回路をオフ状態にさせるようにしているので、作業員がピット４２内に降りているとき、誤って乗りかごが動き出さないようにさせることができるとともに、梯子の収納忘れに起因する乗りかごとの激突を防止できる。
【図面の簡単な説明】
【００４６】
【図１】本発明によるピット梯子の第１の実施形態を示す側面図である。
【図２】図１に示すピット梯子の正面図である。
【図３】図１に示すピット梯子を引き出したときの側面図である。
【図４】図１に示すピット梯子を引き出したときの正面図である。
【図５】安全スイッチの取付例を示す部分拡大図である。
【図６】安全回路の一例を示す構成説明図である。
【図７】本発明によるピット梯子の第２の実施形態を示す側面図である。
【図８】図７に示すピット梯子の正面図である。
【図９】図７に示すピット梯子を引き出したときの側面図である。
【図１０】図７に示すピット梯子を引き出したときの正面図である。
【図１１】本発明によるピット梯子の第３の実施形態を示す側面図である。
【図１２】図９に示すピット梯子の正面図である。
【図１３】図９に示すピット梯子を引き出したときの側面図である。
【図１４】図９に示すピット梯子を引き出したときの正面図である。
【図１５】従来から知られているピット梯子の一例を示す正面図である。
【図１６】図１５に示すピット梯子の取り付け例を示す上面図である。
【符号の説明】
【００４７】
１、２１、４１：ピット梯子
２、２２、４２：ピット
３、２３、４３：ホールシル
４、２４、４４：固定支柱
５、２５、４５：側げた
６、２６、４６：ピット床面
７、４７：踏み板
８、２９、５０：取り付け軸
９、３０、５１：手摺り
１０：安全回路
１１、３１、５２：安全スイッチ
１２、３２、５３：チェーン
１３、３３、５４：フック
１４、３４、５５：窪み
２７：踏み段
２８、４８：連結部材
４９：リンク部材
【図１】
2005067883.tif 000003
【図２】
2005067883.tif 000004
【図３】
2005067883.tif 000005
【図４】
2005067883.tif 000006
【図５】
2005067883.tif 000007
【図６】
2005067883.tif 000008
【図７】
2005067883.tif 000009
【図８】
2005067883.tif 000010
【図９】
2005067883.tif 000011
【図１０】
2005067883.tif 000012
【図１１】
2005067883.tif 000013
【図１２】
2005067883.tif 000014
【図１３】
2005067883.tif 000015
【図１４】
2005067883.tif 000016
【図１５】
2005067883.tif 000017
【図１６】
2005067883.tif 000018